(57)【要約】【課題】未熟な施工者でも締付具の過度の締付けを防止して屋根の山部の損傷を回避して屋根の山部に取り付けることができる屋根上構造物取付金具を提供する。【解決手段】一対の板状の半体３，４で金具本体２を構成する。一対の半体３，４をその下部と上部との間で交差させる。この交差点を枢支部５として一対の半体３，４の上部同士及び下部同士をそれぞれ近接・離間させるようにする。半体３，４の下部同士で屋根２０の山部２１を両側から挟持する挟持部６を形成する。一方の半体３の上部から他方の半体４の上部に向けてストッパ片７を突設する。半体３，４の上部同士の間に締付具８を架け渡すように装着する。締付具８によってストッパ片７の突出先端面を他方の半体４の上部に当接自在にする。【選択図】図１
2007303243.tif 000002
【特許請求の範囲】
【請求項１】
一対の板状の半体で金具本体を構成し、一対の半体をその下部と上部との間で交差させ、この交差点を枢支部として一対の半体の上部同士及び下部同士をそれぞれ近接・離間させるようにし、半体の下部同士で屋根の山部を両側から挟持する挟持部を形成し、一方の半体の上部から他方の半体の上部に向けてストッパ片を突設すると共に、半体の上部同士の間に締付具を架け渡すように装着し、この締付具によってストッパ片の突出先端面を他方の半体の上部に当接自在にしたことを特徴とする屋根上構造物取付金具。
【請求項２】
締付具と枢支部との間の寸法を、挟持部と枢支部との間の寸法よりも、長く形成したことを特徴とする請求項１記載の屋根上構造物取付金具。
【請求項３】
枢支部を、一対の半体に各々設けた軸孔に軸棒を差し込んで一対の半体同士を一体に連結させる蝶番構造で構成したことを特徴とする請求項１または２記載の屋根上構造物取付金具。
【請求項４】
半体の上部に屋根上構造物を一体に形成したことを特徴とする請求項１乃至３のいずれか一項に記載の屋根上構造物取付金具。
【発明の詳細な説明】
【技術分野】
【０００１】
本発明は、屋根上に屋根上構造物を設置させるための屋根上構造物取付金具に関するものである。
【背景技術】
【０００２】
従来から、室外機や太陽光パネルや緑化屋根プランターを載置する架台や、屋根上の積雪の滑落を防止する雪止具などの屋根上構造物を屋根上に設置させるための屋根上構造物取付金具としては、たとえば特許文献１や特許文献２が知られている。これら屋根上構造物取付金具は金具本体に締付具を装着して構成されており、締付具の締め付けによって金具本体に設けた挟持部が屋根の山部を両側から挟持するようになっている。
【０００３】
ところで、上記のような屋根上構造物取付金具を屋根に取り付ける際に、締付具を締め付け過ぎると、挟持部が屋根の山部を強く挟持し過ぎて屋根の山部が凹んだり傷がついたりする恐れがあり、特に、折板屋根のような金属外被で屋根表面が構成される屋根にあっては、強く挟持した挟持部が屋根の山部の金属外皮を破ってしまって雨漏りの原因になる恐れもある。締付具の締付け施工の良否は施工者の熟練度に負うところが大きく、未熟な施工者でも不具合無く屋根への取り付けを行わせ得る屋根上構造物取付金具の開発が望まれているのが現状である。
【０００４】
また、上記屋根上構造物取付金具にあっては、その金具本体は別体の多数の構成部品から構成されていて、取付施工時に金具本体に装着する締付具によって初めて一体化がされるものであり、締付具の未装着時には、金具本体の構成部品を紛失してしまう恐れもあり、また、締付具は金具本体の上下の略中央部分に装着されていて、金具本体は上部を不動点として下部に設けた挟持部で屋根の山部を挟持させる構造が採用されており、つまり梃子の原理を考えた際に締付具の締付力が挟持部の挟持力以上に必要な構造であって、屋根上構造物取付金具の屋根への必要な取付強度を得るのに締付具を大きな締付力で締め付ける必要があって締付具の締付け施工の施工性が悪く、更に言うと、締付具の締付け施工が屋根上の不安定な足場で行われることも相俟って締付具の不十分な締め付けが生じやすく、屋根上構造物取付金具の屋根への取付強度不足を招く恐れもある。
【特許文献１】特開平８−２３９９７４号公報
【特許文献２】特開平１１−１２４９６９号公報
【発明の開示】
【発明が解決しようとする課題】
【０００５】
本発明は上記の従来の問題点に鑑みて為したものであって、まず、未熟な施工者でも締付具の過度の締付けを防止して屋根の山部の損傷を回避して屋根の山部に取り付けることができる屋根上構造物取付金具を提供し、また他の目的として金具本体の構成部材の紛失防止や、締付具の締付け施工の施工性向上を図った屋根上構造物取付金具を提供することを課題とするものである。
【課題を解決するための手段】
【０００６】
上記課題を解決するために本発明の請求項１に係る屋根上構造物取付金具は、一対の板状の半体３，４で金具本体２を構成し、一対の半体３，４をその下部と上部との間で交差させ、この交差点を枢支部５として一対の半体３，４の上部同士及び下部同士をそれぞれ近接・離間させるようにし、半体３，４の下部同士で屋根２０の山部２１を両側から挟持する挟持部６を形成し、一方の半体３の上部から他方の半体４の上部に向けてストッパ片７を突設すると共に、半体３，４の上部同士の間に締付具８を架け渡すように装着し、この締付具８によってストッパ片７の突出先端面を他方の半体４の上部に当接自在にしたことを特徴とする。
【０００７】
これによると、施工者が締付具８を締め付けていって一対の半体３，４の上部同士が過度に近接しようとする際には、一方の半体３の上部から他方の半体４の上部に向けて突設されたストッパ片７の突出先端面を他方の半体４の上部に当接させて、ストッパ片７を一対の半体３，４の上部同士の間でつっかえさせてそれ以上の締付具８の締め付けができないようにし、締付具８の過度の締め付けを防止させ、挟持部６による過度の挟持力での屋根２０の山部２１の挟持を回避させることができる。したがって、未熟な施工者であっても、締付具８の過度の締付けが確実に回避され、屋根２０の山部２１の損傷を回避して屋根上構造物取付金具１を屋根２０に取付けることが可能になる。
【０００８】
また、請求項２に係る屋根上構造物取付金具は、請求項１において、締付具８と枢支部５との間の寸法Ｌ１を、挟持部６と枢支部５との間の寸法Ｌ２よりも、長く形成したことを特徴とする。
【０００９】
これによると、締付具８の締付力は枢支部５を介して挟持部６の屋根２０の山部２１への挟持力として作用するのであるが、締付具８が力点、枢支部５が支点、挟持部６が作用点となる梃子の原理によって、締付具８の小さな締付力で挟持部６の大きな挟持力を得るようにできる。したがって、締付具８の締付け施工は足場の悪い屋根２０上で行われるのであるが、屋根上構造物取付金具１の屋根２０への必要な取付強度は締付具８を小さな締付力で締め付けることで確保できるものであり、締付具８の締付け施工に良好な施工性が確保されると共に、締付具８の不十分な締め付けも生じにくくて屋根上構造物取付金具１の屋根２０への取付強度不足を招く恐れも回避できる。更に言うと、このように締付具８の締め付けが小さい締付力で済むと、通常の力で行う締付具８の締付け作業時の状態と、ストッパ片７の突出先端面が他方の半体４の上部に当接したときの締付具８の締め付けがいわゆるきつくなって締付け不可になる状態とのギャップが大きく、つまり施工者は締付具８の過度の締め付けになるポイントを認識し易く、ストッパ片７の突出先端面が他方の半体４の上部に当接したことに気付かずに更に締付具８を締め付け続けてしまう恐れも回避できる。
【００１０】
また、請求項３に係る屋根上構造物取付金具は、請求項１または２において、枢支部５を、一対の半体３，４に各々設けた軸孔９に軸棒１０を差し込んで一対の半体３，４同士を一体に連結させる蝶番構造で構成したことを特徴とする。
【００１１】
これによると、枢支部５で一対の半体３，４同士を一体に連結させて金具本体２を一部材として構成できるものであり、金具本体２の構成部品の紛失を有効に防止できるのであり、また、施工現場では金具本体２自体を組み付けることなく、既に組み上がって一部材としての金具本体２に対して締付具８を装着して締め付け作業を行うだけでよく、屋根上構造物取付金具１の屋根２０への取付施工性が向上する利点も有する。
【００１２】
また、請求項４に係る屋根上構造物取付金具は、請求項１乃至３のいずれか一項において、半体３（４）の上部に屋根上構造物１１を一体に形成したことを特徴とする。
【００１３】
これによると、屋根上構造物取付金具１を屋根２０に取り付けることで、屋根上構造物１１を屋根２０上に配置できるのであり、屋根上構造物１１の配設施工を簡略化できる。
【発明の効果】
【００１４】
本発明は、未熟な施工者であっても、締付具の過度の締付けを確実に回避し、屋根の山部の損傷を回避して屋根上構造物取付金具を屋根に取付け得るといった利点を有し、また、梃子の原理を利用して屋根上構造物取付金具の屋根への取付施工に必要な締付具の締付力を小さくできて取付施工の施工性が向上するといった利点を有している。
【発明を実施するための最良の形態】
【００１５】
以下、本発明を添付図面に示す実施形態に基いて説明する。
【００１６】
図１乃至図４に本発明の実施の形態の例を示す。屋根上構造物取付金具１は金具本体２に締付具８を装着して構成される。金具本体２は、上部に屋根上構造物１１を保持する構造物保持部１２を備えており、下部に屋根２０の山部２１を両側から挟持する挟持部６を備えている。締付具８はボルト８ａとナット８ｂとで構成されており、この締付具８を締め付けることで挟持部６が屋根２０の山部２１を挟みつけて、金具本体２が屋根２０上に取り付けられるようになっている（図１）。屋根２０の山部２１は一般に軒棟方向に伸びるように形成されており、金具本体２の挟持部６はこの山部２１を屋根２０のケラバ方向（左右方向）から挟持する。
【００１７】
金具本体２は一対の板状の半体３，４で構成されている。一対の半体３，４はその下部と上部との間で交差されると共に、この交差点を枢支部５として一対の半体３，４の上部同士及び下部同士をそれぞれ近接・離間させるようになっている（図４）。なお、半体３，４はそれぞれ一枚の金属板を屈曲させることで形成されている。
【００１８】
詳しくは、本例の半体３，４は、上下に傾斜する傾斜板部１３を有し、傾斜板部１３の下端から略鉛直に垂下する垂下板部１４を有すると共に、垂下板部１４の下端部には一対の半体３，４の対向方向に折曲げられた挟持部６を構成する折曲部１５が形成されており、また傾斜板部１３の上端から略鉛直に立ち上がる立上板部１６を有すると共に、立上板部１６にはその上部に締付具８が挿通される貫通孔１７が穿設されている。ここで、一方の半体３の傾斜板部１３は左方ほど上方に位置すると共に、他方の半体４の傾斜板部１３は右方ほど上方に位置しており、つまり各傾斜板部１３の傾斜方向は一対の半体３，４で逆転した関係になっている。また、図３のように、一方の半体３の傾斜板部１３の左右方向の中央部には水下側から切り込まれた切込み１８が形成されており、他方の半体４の傾斜板部１３には水上側から切り込まれた切込み１８が形成されている。一対の半体３，４を軒棟方向に近接させて上記切込み１８同士を合致させてそれぞれ他側の傾斜板部１３に差込むことで、一対の半体３，４は互いに引っ掛かって枢支部５が形成される。なお、切込み１８の幅は傾斜板部１３の板厚よりも大きく形成されているから、一対の半体３，４は上下に回動できるようになっている。金具本体２を構成する一対の半体３，４は傾斜板部１３同士が枢支部５で交差した状態になり、半体３，４の上部を構成する垂下板部１４同士、半体３，４の下部を構成する立上板部１６同士がそれぞれ対向する状態になる。詳しくは、一方の半体３の立上板部１６や他方の半体４の垂下板部１４は金具本体２の左側に位置し、一方の半体３の垂下板部１４や他方の半体４の立上板部１６は金具本体２の右側に位置するといった、半体３（４）の上部と下部とが枢支部５を境に金具本体２の左右方向に逆転した位置関係となっている。なお、締付具８の締め付け作業を簡単にするために他方の半体４の貫通孔１７に重ねるように締付具８のナット８ｂを溶着しておいてもよい。また、一方の半体３の立上板部１６の上端からは他方の半体４の立上板部１６に向けて突出するストッパ片７が延設されている。このストッパ片７の突出先端面は、一対の半体３，４の上部同士が過度に近接しようとする際に、他方の半体４の上部の対向面（立上板部１６の上端部分の対向面）に当接するようにされている。ここで、本例のストッパ片７は金具本体２の上面を構成するものであって、このストッパ片７には屋根上構造物１１を取付けるための取付孔１９が穿設されていて構造物保持部１２を構成している。屋根上構造物１１としては、叙述したように室外機や太陽光パネルや緑化屋根プランターを載置する架台や、屋根２０上の積雪の滑落を防止する雪止具１１ａ（図２）などが挙げられる。雪止具１１ａを構造物保持部１２に取り付けたときには屋根上構造物取付金具１はいわゆる雪止め金具になり、架台を構造物保持部１２に取り付けたときには屋根上構造物取付金具１はいわゆる架台の屋根２０への取付金具になる。
【００１９】
上記のように金具本体２を構成する一対の半体３，４は枢支部５を中心に回動可能になっており、各半体３，４の貫通孔１７に挿通された締付具８を締め付けていくことで、一対の半体３，４の上部同士が近接されると共に、下部同士が近接されるようになる（図４）。つまり、従来技術にある屋根上構造物取付金具１と同様に、締付具８の締め付けに応じた挟持力で挟持部６による屋根２０の山部２１の挟持が行われるようになっている。従来技術の屋根上構造物取付金具１にあっては締付具８の過度の締付けにより挟持部６による屋根２０の山部２１の挟持が過度の挟持力で行われて屋根２０の山部２１を損傷させる恐れがあったが、本例の屋根上構造物取付金具１では上記の恐れを解消している。すなわち、本例の屋根上構造物取付金具１では、一方の半体３の上部から他方の半体４の上部に向けてストッパ片７が突設され、ストッパ片７の突出先端面が一対の半体３，４の上部同士が過度に近接しようとする際に他方の半体４の上部に当接するようにされているために、施工者が締付具８を締め付けていって一対の半体３，４の上部同士が過度に近接しようとした際にストッパ片７の突出先端面が他方の半体４の上部に当接し、つまりストッパ片７が一対の半体３，４の上部同士の間でつっかえてそれ以上の締付具８の締め付けができないようになり、その結果、締付具８の過度の締め付けが防止され、挟持部６による過度の挟持力での屋根２０の山部２１の挟持を回避することができたものである。したがって、未熟な施工者であっても、締付具８の過度の締付けが確実に回避され、屋根２０の山部２１の損傷を回避して屋根上構造物取付金具１を屋根２０に取付けることが可能になっているのである。
【００２０】
詳しくは図１のように屋根上構造物取付金具１は屋根２０上に取り付けられるが、図１の屋根２０は、表面と裏面とをそれぞれ金属外被２２ａ，２２ｂで構成すると共にこれら金属外被２２ａ，２２ｂの間に断熱性有する芯材２３を充填させたサンドイッチ構造の屋根パネル２０ａで構成されている。この屋根パネル２０ａは図５のように一側端部に上方に突出した山部２１が形成されていて他側端部に表面の金属外被２２ａを側方に延出して成る被覆片２４が突設されている。被覆片２４の突出先端部と突出基端部には凸状にされた係止部２５がそれぞれ設けられており、山部２１の突出基部の両側部に形成された凹部２６に上記係止部２５をそれぞれ係止させることで、被覆片２４が隣接する屋根パネル２０ａの山部２１に被覆して取り付き、隣接する屋根パネル２０ａ同士を連結させるようになっている。なお図１の屋根上構造物取付金具１が取付けられた山部２１は、一側端部の山部２１に被覆片２４を被着した外観と略同じ外観になるようにパネルの中央部分に形成した化粧山部２１ａである。すなわち化粧山部２１ａもその突出基部の両側部に凹部２６が形成されており、屋根上構造物取付金具１はその挟持部６でこの凹部２６同士を挟持することで取り付けられている。本例では挟持部６を構成する折曲部１５が上方に折り返されるようなＬ字形状に施されており、凹部２６に折曲部１５を挿入した際には折曲部１５は凹部２６の側方に面する底面２６ａのみならず凹部２６の下方に面する上面２６ｂに弾接し、上下方向へのずれも有効に防止しつつ抜け止めを図って取り付けられている。なお、化粧山部２１ａの凹部２６は施工者が屋根パネル２０ａを掴み持って運ぶ際の指引っ掛け部分としても機能するものである。
【００２１】
上記表裏の金属外被２２間に芯材２３を充填させたサンドイッチ構造の屋根パネル２０ａで構成した屋根２０や、特に図示はしないが波状に屈曲させた金属板を葺設して構成した折板屋根などの、金属外被２２で屋根表面が構成される屋根２０にあっては、背景技術の欄でも述べたが、屋根上構造物取付金具１の挟持部６が山部２１を過剰に強く挟持したときには、挟持部６が屋根２０の山部２１の金属外皮を破ってしまって雨漏りの原因になる恐れもあるが、叙述のように挟持部６による過度の挟持力での屋根２０の山部２１の挟持を回避することができた本例の屋根上構造物取付金具１では屋根２０の山部２１の金属外皮を破ってしまうこともなく、つまり、本例の屋根上構造物取付金具１にあっては特に金属外被２２で屋根表面が構成される屋根２０に対して取り付ける場合に有効である。
【００２２】
また、本例の屋根上構造物取付金具１では、屋根２０上という悪い足場で行う締付具８の締付け施工の施工性向上を図る工夫も施されている。すなわち、図１のように、締付具８と枢支部５との間の寸法Ｌ１を、挟持部６と枢支部５との間の寸法Ｌ２よりも長く形成している（Ｌ１＞Ｌ２）。締付具８の締付力は枢支部５を介して挟持部６の屋根２０の山部２１への挟持力として作用するのであり、つまり梃子の原理を考えたとき、締付具８は力点、枢支部５は支点、挟持部６は作用点を構成するのであり、上記のように力点である締付具８と支点である枢支部５との間の寸法Ｌ１を、作用点である挟持部６と支点である枢支部５との間の寸法Ｌ２よりも長く形成しているので、締付具８の小さな締付力で挟持部６の大きな挟持力が得られるようにされているのである。したがって、締付具８の締付け施工は足場の悪い屋根２０上で行われるのであるが、屋根上構造物取付金具１の屋根２０への必要な取付強度は締付具８を小さな締付力で締め付けることで確保できるものであり、締付具８の締付け施工も良好な施工性が確保されると共に、締付具８の不十分な締め付けも生じにくくて屋根上構造物取付金具１の屋根２０への取付強度不足を招く恐れも回避できるのである。更に言うと、締付具８の締め付けが小さい締付力で済むと、通常の力で行う締付具８の締付け作業時の状態と、ストッパ片７の突出先端面が他方の半体４の上部に当接したときの締付具８の締め付けがいわゆるきつくなって締付け不可になる状態とのギャップが大きく、つまり施工者は締付具８の過度の締め付けになるポイントを認識し易く、ストッパ片７の突出先端面が他方の半体４の上部に当接したことに気付かずに更に締付具８を締め付け続けてしまう恐れも回避できるのである。
【００２３】
以下、本発明の実施の形態の他例を列挙する。先例と同様部位には同符号を付して説明を省き、異なる部位につき説明していく。
【００２４】
図６及び図７には本発明の実施の形態の他例を示す。本例の屋根上構造物取付金具１にあっては、枢支部５に、一対の半体３，４に各々設けた軸孔９に軸棒１０を差し込んで一対の半体３，４同士を一体に連結させる蝶番構造が採用されている。各々軸孔９は板状の半体３，４の傾斜板部１３の一部を筒状に折り曲げることで形成してある。詳しくは、図中９ａは半体３の傾斜板部１３ａの上下中央部に形成された軸孔形成部であり、９ｂは半体４の傾斜板部１３ｂの上下中央部に形成された軸孔形成部である。半体３の傾斜板部１３ａの下部１３ａ１は上部１３ａ２に軸孔形成部９ａを介して一体に形成されており、半体４の傾斜板部１３ｂの下部１３ｂ１は上部１３ｂ２に軸孔形成部９ｂを介して一体に形成されている。本例のように枢支部５に一対の半体３，４同士を一体に連結させる蝶番構造を採用したものは、つまり金具本体２を一部材として構成できるものであり、したがって、施工現場では金具本体２自体を組み付けることなく、既に組み上がって一部材としての金具本体２に対して締付具８を装着して締め付け作業を行うだけでよく、屋根上構造物取付金具１の屋根２０への取付施工性が向上するのであり、また、施工現場で金具本体２自体を組み付けるものと比較して金具本体２の構成部品の紛失を有効に防止できる利点も有しているのである。
【００２５】
図８及び図９には本発明の実施の形態の更に他例を示す。本例の屋根上構造物取付金具１にあっては、各半体３，４の立上板部１６の前後方向（屋根２０の軒棟方向）の両端から一対の半体３，４の対向方向に重合片２８をそれぞれ突設し、各半体３，４の前部の重合片２８同士、後部の重合片２８同士をそれぞれ前後に重ねるようにして各重合片２８の下部に穿設した軸孔９を同軸上に配置し、この同軸上にある各軸孔９に軸棒１０を挿通させて一対の半体３，４を一体に連結した蝶番構造の枢支部５を形成している。前後に重なる一対の重合片２８のうちの一方の重合片２８は、一方の半体３から突設したストッパ片７が他方の半体４の上部の対向面（立上板部１６の対向面）に当接するのと同じタイミングで、その突出先端面が対向する立上板部１６の対向面に当接するようになっており、つまり、重合片２８は締付具８の過度の締付けを防止するストッパ片７と同様に機能するようになっている。なお、図中２９は先の傾斜板部１３の代わりに設けた水平板部であり、屋根面からの屋根上構造物取付金具１の突出高さを抑制している。
【００２６】
また、本例の屋根上構造物取付金具１にあっては、各半体３，４の立上板部１６の前後方向の一端から、一対の半体３，４の対向方向と反対側に雪止片２７をそれぞれ突設させている。この雪止片２７は、屋根上構造物取付金具１を屋根２０に取り付けたときに、屋根２０の軒棟方向に垂直に面して屋根２０上の積雪を滑落させないように保持するものであり、つまり構造物保持部１２に取付けた雪止具１１ａと同様の機能を果たす。すなわち、雪止片２７は雪止具１１ａのような屋根上構造物１１を構成するのであり、しかして、本例の屋根上構造物取付金具１は屋根上構造物１１が一体に形成されたものである。このように屋根上構造物１１が一体に形成された屋根上構造物取付金具１は、屋根上構造物取付金具１を屋根２０に取り付けることで、屋根上構造物１１を屋根２０上に配置できるから、屋根上構造物１１の配設施工を簡略化できる。なお、本例の屋根上構造物取付金具１は一体に形成された屋根上構造物１１が雪止めであるのでいわゆる雪止め金具となるものであるが、ストッパ片７には先例同様に屋根上構造物１１を取付けるための取付孔１９が穿設されて構造物保持部１２を構成しており、この構造物保持部１２に屋根上構造物１１を別途取り付けることも可能にされている。
【図面の簡単な説明】
【００２７】
【図１】本発明の実施の形態の例の屋根上構造物取付金具を屋根に取り付けた状態を示す断面図である。
【図２】同上の屋根上構造物取付金具への屋根上構造物の取り付けを説明する説明図である。
【図３】同上の屋根上構造物取付金具の金具本体の分解斜視図である。
【図４】（ａ）（ｂ）は同上の屋根上構造物取付金具の動作を説明する断面図である。
【図５】同上の屋根に用いた屋根パネルを説明する断面図である。
【図６】本発明の実施の形態の他例の屋根上構造物取付金具を屋根に取り付けた状態を示す断面図である。
【図７】（ａ）（ｂ）は同上の屋根上構造物取付金具の動作を説明する斜視図である。
【図８】本発明の実施の形態の更に他例の屋根上構造物取付金具を屋根に取り付けた状態を示す断面図である。
【図９】（ａ）（ｂ）は同上の屋根上構造物取付金具の動作を説明する斜視図である。
【符号の説明】
【００２８】
１  屋根上構造物取付金具
２  金具本体
３  一方の半体
４  他方の半体
５  枢支部
６  挟持部
７  ストッパ片
８  締付具
９  軸孔
１０  軸棒
１１  屋根上構造物
２０  屋根
２１  山部
【図１】
2007303243.tif 000003
【図２】
2007303243.tif 000004
【図３】
2007303243.tif 000005
【図４】
2007303243.tif 000006
【図５】
2007303243.tif 000007
【図６】
2007303243.tif 000008
【図７】
2007303243.tif 000009
【図８】
2007303243.tif 000010
【図９】
2007303243.tif 000011